(57)【特許請求の範囲】
【請求項１】
複数の槽本体を長手方向に並べて設けるとともに縦方向に組み合わせ、それらを透水シートで被覆することによって形成され、かつ地下に設置されて雨水を集め、外部に流出或いは地中に緩やかに浸透させる雨水貯留浸透槽であって、
各槽本体は、
矩形の板状に形成される基礎板、
前記基礎板の各隅から突出し、対向するように配置した他の槽本体と嵌合可能な嵌合部を先端に有する支持部、および
前記基礎板の幅方向の両側であってかつ前記支持部どうしの間に形成される一対の治具取付部を含み、
縦方向に組み合わせた槽本体どうしの間に雨水を貯留する雨水貯留空間が形成され、さらに
底板とその両側端から立ち上がる側板とを有し、かつ前記雨水貯留空間の内部に配置されて雨水とともに流入した土砂を集積する溝部材、および
前記治具取付部に係止する係止部と、前記係止部と一体に形成されて前記側板を保持する保持部とを有し、前記溝部材を前記槽本体に取り付ける取付治具を備える、雨水貯留浸透槽。
【請求項２】
前記保持部は、前記治具取付部との間に前記側板を挟む、請求項１記載の雨水貯留浸透槽。
【請求項３】
前記治具取付部は、下面を有し、
前記係止部は、前記治具取付部の前記下面に当接する、請求項２記載の雨水貯留浸透槽。
【請求項４】
前記係止部は、前記治具取付部の外側面にさらに当接し、
前記保持部は、前記側板の内側面に当接する、請求項３記載の雨水貯留浸透槽。
【請求項５】
前記溝部材は、前記治具取付部との間に所定の間隙を有するように配置され、
前記保持部は、前記側板の内側面を外向きに広げるようにその内側面に当接する、請求項３または４記載の雨水貯留浸透槽。
【請求項６】
請求項１ないし５のいずれかに記載の雨水貯留浸透槽の施工方法であって、
（ａ）前記雨水貯留浸透槽の設置区間に沿って開削溝を形成して、当該開削溝内に少なくとも２つ以上の槽本体を並べ、
（ｂ）前記ステップ（ａ）で並べた槽本体にまたがるように、当該槽本体の内部空間に溝部材を配置し、そして
（ｃ）前記ステップ（ｂ）で配置した溝部材を、取付治具によって前記槽本体に取り付ける、雨水貯留浸透槽の施工方法。
【発明の詳細な説明】
【技術分野】
【０００１】
この発明は、雨水貯留浸透槽およびその施工方法に関し、特にたとえば、溝部材を槽本体に取り付ける、雨水貯留浸透槽およびその施工方法に関する。
【背景技術】
【０００２】
近年、都市化が進んだことによる環境の変化のため、局地的な大雨や台風時の大雨による浸水被害が増加している。このため、雨水貯留浸透槽を地下に埋設して、雨水を一時的に貯留し、その後、外部に流出或いは地中に緩やかに浸透させるなどの対策が施されている。たとえば、特許文献１に開示される雨水貯留浸透槽では、複数の充填部材を縦横または上下方向に組み合わせて、雨水の貯留空間を地下に形成している。また、雨水とともに流入した土砂を集積するために、充填部材の下方に凹溝を形成している。
【特許文献１】特開２００７−１６５８２号［Ｅ０３Ｆ  １／００］
【発明の開示】
【発明が解決しようとする課題】
【０００３】
しかしながら、特許文献１の技術では、凹溝は、隣接する凹溝部材の端のフランジ部を重ねて並べ、凹溝部材の自重で安定させることによって形成される。よって、雨水貯留浸透槽を設ける開削溝の底面に凹凸がある場合には、隣接する凹溝部材の接続箇所が浮き上がって、隙間ができてしまう。この問題を回避するためには、開削溝の底面を平坦し、凹溝部材の端のフランジ部を接着接合して連続体に形成する必要があり、その施工に手間がかかる。また、充填部材の構造上、隣接する充填部材に亘る長尺の凹溝部材を用いると、自重による固定ができなくなり、仕上がりの精度が良くない。したがって、長尺の凹溝部材を充填部材の内部に設けて凹溝を形成するためには、木ネジやビス、或いはロープ等を用いることによって、凹溝部材を充填部材に取り付けなくてはならず、その取付作業に手間がかかる。
【０００４】
また、特許文献１の他の実施例においては、長尺のＵ字溝部材によって、雨水貯留浸透槽のさらに下方に凹溝を形成しているが、このためには、地盤を深く掘り下げる必要があり、施工が困難であり、施工コストも増大する。
【０００５】
それゆえに、この発明の主たる目的は、新規な、雨水貯留浸透槽およびその施工方法を提供することである。
【０００６】
この発明の他の目的は、施工性に優れた、雨水貯留浸透槽およびその施工方法を提供することである。
【課題を解決するための手段】
【０００７】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【０００８】
第１の発明は、複数の槽本体を長手方向に並べて設けるとともに縦方向に組み合わせ、それらを透水シートで被覆することによって形成され、かつ地下に設置されて雨水を集め、外部に流出或いは地中に緩やかに浸透させる雨水貯留浸透槽であって、各槽本体は、矩形の板状に形成される基礎板、基礎板の各隅から突出し、対向するように配置した他の槽本体と嵌合可能な嵌合部を先端に有する支持部、および基礎板の幅方向の両側であってかつ支持部どうしの間に形成される一対の治具取付部を含み、縦方向に組み合わせた槽本体どうしの間に雨水を貯留する雨水貯留空間が形成され、さらに底板とその両側端から立ち上がる側板とを有し、かつ雨水貯留空間の内部に配置されて雨水とともに流入した土砂を集積する溝部材、および治具取付部に係止する係止部と、係止部と一体に形成されて側板を保持する保持部とを有し、溝部材を槽本体に取り付ける取付治具を備える、雨水貯留浸透槽である。
【００１１】
第２の発明は、第１の発明に従属し、保持部は、治具取付部との間に前記側板を挟む。
【００１２】
第２の発明では、取付治具（１０，５０）の保持部（４０，６２）は、槽本体（１２）の治具取付部（２４）との間に溝部材（１４）の側板（３０）を挟む。ただし、ここでいう「挟む」とは、側板が、取付治具の保持部と治具取付部との間に位置していることを意味する。このため、取付治具は、たとえば溝部材（１４）に外力が作用しても、保持部によって側板を押さえることができるため、溝部材の位置を保持することができる。
【００１３】
第２の発明によれば、保持部が治具取付部との間に側板を挟むため、溝部材の位置を保持することができる。
【００１４】
第３の発明は、第２の発明に従属し、治具取付部は、下面を有し、係止部は、治具取付部の下面に当接する。
【００１５】
第５の発明は、第３または４の発明に従属し、溝部材は、治具取付部との間に所定の間隙を有するように配置され、保持部は、側板の内側面を外向きに広げるようにその内側面に当接する。
【００１６】
第４の発明は、第３の発明に従属し、係止部は、治具取付部の外側面にさらに当接し、保持部は、側板の内側面に当接する。
【００１７】
第４の発明では、取付治具（１０，５０）に形成される係止部（３４，５６）は、槽本体に形成される治具取付部（２４）の下面（２４ａ）および外側面（２４ｃ）のそれぞれに当接する。取付治具は、係止部が治具取付部の下面および外側面に当接することによって、内側方向および上方向への外力に対し、取付治具自身の位置を保持する。また、保持部（４０，６２）は、溝部材（１４）の側板（３０）の内側面を外側に広げるように当接する。このため、側板の応力が内側方向および上方向に向けて作用して、溝部材の位置を固定的に保持することができる。
【００１８】
第４の発明によれば、溝部材を槽本体に固定的に取り付けることができる。
【００１９】
第５の発明は、地下に設置されて雨水を集め、外部に流出或いは地中に緩やかに浸透させる雨水貯留浸透槽であって、幅方向の少なくとも一方側において、下面を有する治具取付部が形成される槽本体、槽本体の内部空間に配置され、底板とその両側端から立ち上がる側板とを有する溝部材、および治具取付部の下面に当接する係止部と、係止部と一体に形成されて、側板を保持する保持部とを有する取付治具を備える雨水貯留浸透槽である。
【００２２】
第６の発明は、第１ないし６のいずれかの雨水貯留浸透槽の施工方法であって、（ａ）雨水貯留浸透槽の設置区間に沿って開削溝を形成して、当該開削溝内に少なくとも２つ以上の槽本体を並べ、（ｂ）ステップ（ａ）で並べた槽本体にまたがるように、当該槽本体の内部空間に溝部材を配置し、そして（ｃ）前記ステップ（ｂ）で配置した溝部材を、取付治具によって槽本体に取り付ける、雨水貯留浸透槽の施工方法である。
【００２３】
第６の発明では、ステップ（ａ）において、雨水貯留浸透槽（１００）を設置する区間に沿って開削溝を形成して、その開削溝内に少なくとも２つ以上の槽本体（１２）を並べる。ステップ（ｂ）において、ステップ（ａ）で並べた槽本体にまたがる溝部材（１４）を、各々の槽本体に形成される治具取付部（２４）の間に配置する。ステップ（ｃ）において、取付治具（１０）によって、並べた槽本体の任意の治具取付部に溝部材を取り付ける。
【００２４】
第６の発明によっても、第１ないし第５の発明と同様の効果を奏する。
【発明の効果】
【００２５】
この発明によれば、手作業によっても容易に溝部材を槽本体に取り付けることができ、施工性に優れる。
【００２６】
この発明の上述の目的，その他の目的，特徴および利点は、図面を参照して行う以下の実施例の詳細な説明から一層明らかとなろう。
【発明を実施するための最良の形態】
【００２７】
図１を参照して、この発明の一実施例である取付治具１０は、地下に設置されて雨水を集め、外部に流出或いは地中に緩やかに浸透させる雨水貯留浸透槽１００において、槽本体１２に溝部材１４を取り付けるために用いられる。
【００２８】
槽本体１２は、ポリプロプレンなどの合成樹脂からなり、たとえば、射出成形によって形成される。詳細は後述するが、槽本体１２は、長手方向（雨水貯留浸透槽１００を設ける方向）に並べて設けられ、縦方向に組み合わせられることで、その内部に雨水を貯留する雨水の貯留空間１６を形成する（図１２参照）。
【００２９】
図２―図４に示すように、槽本体１２は、たとえば矩形の板状に形成される基礎板１８を備える。たとえば、基礎板１８の長手方向の長さ、および幅方向（長手方向に直交する方向）における長さつまり幅は、ともに５００ｍｍである。
【００３０】
基礎板１８の上面には、基礎板１８の四隅から略四角柱状に突出する支持部２０が形成される。支持部２０の上端には、直方体が突出した段差形状の嵌合部２２が形成される。ここで、嵌合部２２は、たとえば対向するように配置した他の槽本体１２の嵌合部２２と嵌合させることができるように配置され、槽本体１２同士を縦方向に組み合わせることができる。
【００３１】
また、基礎板１８の幅方向の両側には、治具取付部２４が形成される。治具取付部２４は、直方体状に形成され、支持部２０の間から上方向に突出する。この実施例において、治具取付部２４は、詳細は後述する取付治具１０の係止部３４に係止される部位であるとともに、槽本体１２を持ち上げる際などに槽本体１２を把持するための部位である。治具取付部２４には、幅方向に治具取付部２４を貫通する略直方体状の開口部２６が形成される。開口部２６の上面は、治具取付部２４の下面２４ａとして機能する。たとえば、治具取付部２４の上面２４ｂと下面２４ａとの間の垂直方向の長さつまり高さは２５ｍｍに設定される。
【００３２】
なお、槽本体１２の各部位（支持部２０や治具取付部２４等）は、均一の肉厚によって中空状に形成することもできる。
【００３３】
槽本体１２の内部空間、すなわち貯留空間１６には、溝部材１４が配置される（図１参照）。
【００３４】
溝部材１４は、硬質塩化ビニルなどの合成樹脂によって形成され、雨水とともに流入した土砂を集積する。詳細は後述するが、溝部材１４は、長手方向に並べた槽本体１２の全長に亘って配置され、たとえば、８つの槽本体１２を並べる場合、底板２８の長手方向の長さは４０００ｍｍである。ただし、並べた槽本体１２の長さに合わせて適宜、溝部材１４を切断、或いは図示は省略する連結部材によって溝部材１４を連結することもできる。
【００３５】
図５に示すように、溝部材１４は、長方形の板状に形成される底板２８を備える。ここで、上述したように、溝部材１４は、槽本体１２の内部空間に配置される。このため、底板２８の幅は、治具取付部２４間の距離よりも小さく形成され、たとえば１５０ｍｍである。
【００３６】
また、底板２８の幅方向両側端からは、側板３０が上方向に立ち上がる。側板３０は、底板２８と一体に形成され、その高さはたとえば１５０ｍｍである。
【００３７】
溝部材１４は、取付治具１０によって、槽本体１２に取り付けられる（図１参照）。
【００３８】
取付治具１０は、硬質塩化ビニルなどの合成樹脂からなり、押出成形または射出成形によって形成される。図７に示すように、取付治具１０は、長方形の板状に形成される主板部３２を備える。たとえば、主板部３２の長手方向の長さは１００ｍｍであり、その幅は５７ｍｍである。
【００３９】
主板部３２の幅方向における一端には、係止部３４が形成される。係止部３４は、主板部３２と一体に形成され、垂直板部３６、および水平板部３８を備える。垂直板部３６は、主板部３２から下方向に向けて突出し、その高さはたとえば２７０ｍｍである。また、水平板部３８は、垂直板部３６の下端から後述する保持部４０の方向に略水平に突出し、その幅はたとえば２０ｍｍである。
【００４０】
また、主板部３２の幅方向における他端には、主板部３２から下方向に向けて突出する保持部４０が形成される。保持部４０は、主板部３２と一体に形成され、その高さはたとえば２７０ｍｍである。保持部４０の上端部の係止部３２側には、たとえば四角柱形状を有する補強部４２が形成される。補強部４２は、主板部３２および保持部４０と一体に形成され、主板部３２と保持部４０との接触箇所を肉厚にすることで、突出する保持部４０を補強する。ただし、補強部４２は、保持部４０の強度が十分であれば形成しなくてもよい。また、保持部４０の強度をさらに向上させたければ、補強部４２の内部を空洞に形成し、当該空洞に鉄などの金属からなる補強部材を別途挿入してもよい。
【００４１】
図９-図１１を参照して、取付治具１０を用いて、槽本体１２に溝部材１４を取り付ける方法を以下に示す。
【００４２】
先ず、図９に示すように、係止部３４の水平板部３８の先端を、治具取付部２４の開口部２６内に位置させる。
【００４３】
次に、図１０に示すように、溝部材１４の側板３０を外側方向に少し広げながら、当該側板３０の上端を保持部４０と治具取付部２４との間に挟むように、取付治具１０を槽本体１２の内側方向に回転させる。ただし、ここでいう「挟む」とは、側板３０が、取付治具１０の保持部４０と槽本体１２の治具取付部２４との間に位置していることを意味する。
【００４４】
そして、図１１に示すように、保持部４０を側板３０の内側面に当接させる。この時、係止部３４の水平板部３８が治具取付部２４の下面２４ａに当接するとともに、垂直板部３６が治具取付部２４の外側面２４ａに当接する。このようにして、溝部材１４の槽本体１２への取り付けが完了する。
【００４５】
取付治具１０の係止部３４は、槽本体１２の治具取付部２４の下面２４ａおよび外側面２４ｃに当接する。これにより、取付治具１０は、内側方向および上方向への外力に対し、取付治具１０自身の位置を保持する。さらに、係止部３４と一体に形成される保持部４０は、溝部材１４の側面３０の内側面を外側に広げるように当接する。このため、側板３０の応力が内側方向および上方向に向けて作用して、溝部材１４の位置を固定的に保持することができる。すなわち、取付治具１０によれば、溝部材１４を槽本体１２に固定的に取り付けることができる。
【００４６】
このように、取付治具１０によれば、工具等を使用しなくても、手作業によって容易に溝部材１４を槽本体１２に取り付けることができ、施工性に優れる。
【００４７】
上述したように、取付治具１０は、雨水貯留浸透槽１００において、槽本体１２に溝部材１４を取り付けるために用いられる。ここで、取付治具１０、槽本体１２および溝部材１４を備える雨水貯留浸透槽１００の施工方法を以下に示す。
【００４８】
先ず、雨水貯留浸透槽１００を設置する区間に沿って、雨水貯留浸透槽１００が設置可能な深さまで地面を掘削して、開削溝を設ける。なお、掘削した土は、たとえばトラックなどで運びだす。そして、周りの土が崩れてこないようにするための土留矢板などを開削溝の側面に設置する。
【００４９】
次に、雨水貯留浸透槽１００の設置区間の始点に第１点検孔１０２を設ける（図１３参照）。続いて、開削溝内に、雨水貯留浸透槽１００の設置区間に亘る長さに対応する数の槽本体１２を長手方向に並べる。そして、並べた槽本体２６にまたがる溝部材１４を、槽本体１２の基礎板１８上に配置する。最後に、終点に第２点検孔１０４を設ける（図１３参照）。この際には、溝部材１４の一端を第１点検孔１０２と接続し、他端を第２点検孔１０４と接続する。ただし、第１点検孔１０２および第２点検孔１０４は、槽本体１２の設置後に設けてもよい。
【００５０】
次に、上述した手法により、取付治具１０を用いて、溝部材１４を槽本体１２に取り付ける。
【００５１】
次に、図１２に示すように、溝部材１４を取り付けた槽本体１２に、他の槽本体１２を対向するように配置する。そして、お互いの嵌合部２２を嵌合させて、槽本体１２同士を縦方向に組み合わせる。
【００５２】
そして、槽本体１２に側板１０６および天板１０８を設ける。ただし、詳細は省略するが、側板１０６は、縦方向に組み合わせた槽本体１２の側方から嵌め込むように固定され、天板１０８は、槽本体の基礎板１８に形成されるピン孔にピン止めされる。なお、流入管１１０が接続される部位には、天板１０８を設けない。
【００５３】
次に、縦方向に組み合わせた槽本体１２流入管１１０を接続する。図１３に示すように、流入管１１０は、外部からの雨水が流入する雨水桝１１２と雨水貯留浸透槽１００とを接続して、槽本体１２の基礎板１８に形成される図示しない複数の間隙を介して貯留空間１６に雨水を流入する。
【００５４】
そして、槽本体１２を透水シート１１４で被覆する。透水シート１１４としては、水を通すが土砂を通さないようなものが望ましく、たとえば長繊維ポリエステル系不織布等が用いられる。
【００５５】
最後に、開削溝内を埋め戻して、雨水貯留浸透槽１００を地中に設ける施工は完了する。
【００５６】
このような雨水貯留浸透槽１００では、流入管から雨水貯留浸透槽１００内に雨水が流入すると、槽本体１２によって形成される雨水の貯留空間１６に雨水が一時的に貯留され、槽本体１２に形成される間隙および透水シート１１４を介して周辺の地中に緩やかに浸透する。また、雨水とともに流入した土砂は、槽本体１２に取り付けられた溝部材１４に集積する。
【００５７】
そして、このような雨水貯留浸透槽１００において、溝部材１４に集積した土砂を取り除く場合には、雨水貯留浸透槽１００の始点に設けられた第１点検孔１０２にホースを挿入し、ホースの先端のノズルから高圧のジェット水流を噴射して、水圧によって土砂を第２点検孔１０４に移動させる。同時に、第２点検孔１０４に挿入したバキュームカーなどのホースで吸引することによって、土砂を排除することができる。
【００５８】
このように、雨水貯留浸透槽１００では、槽本体１２によって形成される貯留空間１６内に溝部材１４が取り付けられるため、溝部材１４を設けるために地面を掘削しなくてもよく、施工性に優れ、さらに施工コストを押さえることもできる。
【００５９】
また、雨水貯留浸透槽１００では、並べた槽本体１２にまたがる溝部材１４を用いるため、基礎の不陸や槽本体１２の施工誤差などのずれによって、溝部材１４が浮き上がることがない。したがって、溝部材１４に隙間や凹凸等が生じることはなく、溝部材１４に集積した土砂を支障なく取り除くことができる。
【００６０】
さらに、雨水貯留浸透槽１００では、取付治具１０によって槽本体１２に溝部材１４が固定的に取り付けられている。このため、たとえば、溝部材１４を持ち上げると、並べている槽本体１２をまとめて持ち上げることができる。同様に、槽本体１２を持ち上げると、並べている他の槽本体１２をまとめて持ち上げることができる。これにより、雨水貯留浸透槽１００の施工の際に、開削溝内に並べた槽本体１２を容易に移動させることができる。さらにまた、地上にて、槽本体１２を並べて溝部材１４を取り付け、その後、開削溝内に下ろして配置することもできる。したがって、施工の手順などを現場に応じて選択することができ、施工性に優れる。
【００６１】
なお、上述の実施例では、縦方向に組み合わせた槽本体１２の一層で雨水貯留浸透槽１００を形成したが、これに限定される必要はなく、当該縦方向に組み合わせた槽本体１２の上にさらに槽本体１２を並べ、槽本体１２を縦方向に積層してもよい。また、同様に、幅方向に槽本体１２を複数並べ、横方向に並べてもよい。
【００６２】
また、上述の実施例では、雨水貯留浸透槽１００の設置区間に亘る長さに対応する数の槽本体１２を並べたが、これに限定される必要はなく、予め複数連結させた槽本体１２を用いることもできる。
【００６３】
さらに、上述の実施例では、取付治具１０、槽本体１２、および溝部材１４は、いずれも合成樹脂によって形成されたが、これに限定される必要はない。たとえば、それぞれ鉄やアルミニウムなどの金属によっても形成することができる。
【００６４】
さらに、上述の実施例では、治具取付部２４を幅方向に貫通する開口部２６が形成されたが、これに限定される必要はない。あくまでも開口部２６は、治具取付部２４に下面２４ａを形成するとともに、容易に槽本体１２を把持することができるように形成した部位である。よって、たとえば、治具取付部２４に下面２４ａを形成するためだけであれば、治具取付部２４の外側面かつ上端よりも下方向の一部を内側に窪ませて、当該窪みの上面を治具取付部２４の下面２４ａとして機能させることもできる。
【００６５】
図１４―図１６に示すこの発明の他の実施例である取付治具５０では、係止部５６および保持部６２の形状、ならびに治具取付部２４への取付方法が、図１に示す取付治具１０と異なる。
【００６６】
図１４および図１５に示すように、取付治具５０は、垂直板部５２を備える。たとえば、垂直板部５２は、長方形の板状に形成され、その長手方向の長さは１００ｍｍであり、その高さは４０ｍｍである。垂直板部５２の上端には、第１水平板部５４が形成される。第１水平板部５４は、垂直板部５２の上端から幅方向の外側に延びる板状に形成され、その幅はたとえば３４ｍｍである。
【００６７】
垂直板部５２の高さ方向の中央付近には、係止部５６が形成される。係止部５６は、垂直板部５２と重なるように同方向に延びる板状に形成され、たとえば、幅方向の外側に５ｍｍ程突出する。係止部５６は、その上端に突起５８を含む。突起５８は、先端の角度θが鋭角であって、ほぼ三角形の断面形状に形成される。この角度θは、６０°〜９０°が好ましく、この実施例では約６０°に形成されている。
【００６８】
また、垂直板部５２の下端には、第２水平板部６０が形成される。第２水平板部６０は、垂直板部５２の下端から幅方向の内側に突出する板状に形成され、その幅はたとえば３１ｍｍである。第２水平板部６０の先端、すなわち垂直板部５２とは反対側の端部には、保持部６２が形成される。保持部６２は、垂直板部５２と略平行に下方向に向けて突出する板状に形成され、その高さはたとえば３７ｍｍである。
【００６９】
また、槽本体１２の治具取付部２４には、中空部２６ａが形成される（図１６参照）。中空部２６ａは、開口部２６の下面が凹状に窪むことによって、治具取付部２４の内部に形成される矩形の空洞である。たとえば、中空部２６ａは、治具取付部２４の外側面２４ｃおよび内側面２４ｄのそれぞれから、たとえば３ｍｍ程度内側に設けられ、治具取付部２４内部の幅方向の内側に側面２４ｅを形成する。
【００７０】
ただし、上述したように、槽本体１２の治具取付部２４は、均一の肉厚によって中空状に形成することもできる。この場合には、中空部２６ａは、開口部２６の下面が開口することによって開放される空間であり、治具取付部２４の外側面２４ｃおよび内側面２４ｄのそれぞれから、治具取付部２４を構成する肉厚分内側に設けられる。
【００７１】
図１６を参照して、取付治具５０を用いて、槽本体１２に溝部材１４を取り付ける方法を以下に示す。
【００７２】
先ず、係止部５６の下端を、治具取付部２４の中空部２６ａに挿通させながら、取付治具５０を下方向に移動させる。この時、溝部材１４の側板３０を外側方向に少し広げながら、当該側板３０の上端を保持部６２と治具取付部２４との間に挟む。
【００７３】
そして、図１６に示すように、保持部６２を側板３０の内側面に当接させる。この時、係止部３４は、中空部２６ａの形成する側面２４ｅに当接するとともに、その突起５８が治具取付部２４の下面２４ａに当接する。また、第１水平板部５４が治具取付部２４の上面２４ｂと当接して、垂直板部５２が治具取付部２４の内側面２４ｄに当接する。このようにして、溝部材１４の槽本体１２への取り付けが完了する。
【００７４】
取付治具５０の係止部５６は、槽本体１２の治具取付部２４の下面２４ａおよび中空部２４ｃに当接する。これにより、取付治具５０は、内側方向および上方向への外力に対し、取付治具５０自身の位置を保持する。すなわち、中空部２６ａが治具取付部２４の内部に形成する側面２４ｅは、図１の実施例の治具取付部２４における外側面２４ｃと同様に機能している。さらに、係止部５６と一体に形成される保持部６２は、溝部材１４の側面３０の内側面を外側に広げるように当接する。このため、側板３０の応力が内側方向および上方向に向けて作用して、溝部材１４の位置を固定的に保持することができる。すなわち、取付治具５０によれば、溝部材１４を槽本体１２に固定的に取り付けることができる。
【００７５】
このように、図１４に示すような取付治具５０によっても、容易かつ固定的に溝部材１４を槽本体１２に取り付けることができる。
【００７６】
また、取付治具５０では、溝部材１４を槽本体１２に取り付けた際に、第１垂直板部５４が槽本体１２の治具取付部２４の内側面２４ｄに当接する。これにより、取付治具５０は、外側方向への外力に対しても、取付治具５０自身の位置を保持することができる。
【００７７】
なお、上述した各実施例においていずれも、槽本体１２の幅方向の両側に治具取付部２４が形成されたが、これに限定される必要はない。たとえば、槽本体１２の幅方向の少なくとも一方側に治具取付部２４が形成されていれば、取付治具１０，５０によって、当該槽本体１２に溝部材１４を固定的に取り付けることができる。
【００７８】
また、たとえ槽本体１２の幅方向の両側に治具取付部２４が形成されていても、全ての治具取付部２４に取付治具１０，５０を設ける必要はない。たとえば、或る槽本体１２の幅方向のいずれか一方側の治具取付部２４に取付治具１０，５０を設けて溝部材１４を固定し、隣接する槽本体１２では、その幅方向の反対側の治具取付部２４に取付治具１０，５０を設けて溝部材１４を固定するなど、隣接する槽本体１２において互い違いに取付治具１０，５０を設けてもよい。
【００７９】
さらに、上述した各実施例においていずれも、取付治具１０，５０の保持部４０，６２が溝部材１４の側板３０の内側面を外側に広げるように当接したが、これに限定される必要はない。保持部４０，６２と側板３０とが当接していなくても、側板３０が保持部４０，６２と治具取付部２４との間に位置していればよい。たとえば、流入した雨水による浮力や溝部材１４を持ち上げることなどにより、溝部材１４に上方向への外力が作用しても、取付治具１０，５０の保持部４０，６２と槽本体１２の治具取付部２４との間に溝部材１４の側板３０が位置していれば、保持部４０，６２によって側板３０を押さえることができる。すなわち、この場合には、溝部材１４が移動した際にのみ、保持部４０，６２が側板３０を押さえて、溝部材１４の位置を保持する。
【００８０】
さらにまた、上述した各実施例においていずれも、取付治具１０，５０では、係止部３４，５６が治具取付部２４の下面２４ａおよび外側面２４ｃにそれぞれ当接したが、これに限定される必要はなく、取付治具５０が自身の位置を保持することができるのであれば、係止部３４，５６と下面２４ａ、ならびに係止部３４，５６と外側面２４ｃとは、当接しなくてもよい。
【００８１】
たとえば、保持部４０，６２と側板３０とが当接していないのであれば、側板３０の応力が内側方向に作用しない。よって、係止部３４，５６と治具取付部２４の外側面２４ｃとが当接しなくても、取付治具１０，５０は、その自重によって自身の位置を保持することができる。
【００８２】
また、たとえば、取付治具１０，５０の係止部３４，５６に幅方向の内側に延びる複数の刃ないし歯を設けて、治具取付部２４の外側面２４ｃおよび内側面２４に歯を食い込ませるようにすれば、係止部３４，５６と治具取付部２４の下面２４ａとが当接しなくても、取付治具１０，５０は、自身の位置を保持することができる。
【００８３】
なお、槽本体１２の形状は限定されない。たとえば、槽本体１２の幅方向のいずれか一方側に取付治具１０を設ける治具取付部２４が形成されているのであれば、任意の形状を採用することができ、市販品を用いることもできる。同様に、溝部材１４も、側板３０が上方向に延びる形状であれば、任意の形状を採用することができ、市販品を用いることもできる。
【００８４】
また、上述した各実施例においていずれも、長さ等の具体的数値は、いずれも単なる一例であり、必要に応じて適宜変更可能である。
【図面の簡単な説明】
【００８５】
【図１】この発明の一実施例の取付治具によって槽本体に溝部材を取り付けた様子を示す断面図である。
【図２】図１の槽本体を示す斜視図である。
【図３】図１の槽本体を示す上方向からの平面図である。
【図４】図１の槽本体を示す幅方向からの平面図である。
【図５】図１の溝部材を示す斜視図である。
【図６】図１の溝部材を示す長手方向からの平面図である。
【図７】図１の取付治具を示す斜視図である。
【図８】図１の取付治具を示す長手方向からの平面図である。
【図９】図１の取付治具によって、溝部材を槽本体に取り付ける様子を示す図解図である。
【図１０】図１の取付治具によって、溝部材を槽本体に取り付ける様子を示す図解図である。
【図１１】図１の取付治具によって、溝部材を槽本体に取り付ける様子を示す図解図である。
【図１２】雨水貯留浸透槽を模式的に示す図解図である。
【図１３】雨水貯留浸透槽の実施形態を示す断面図である。
【図１４】この発明の他の実施例の取付治具を示す斜視図である。
【図１５】図１４の取付治具を示す長手方向からの平面図である。
【図１６】図１４の取付治具によって槽本体に溝部材を取り付けた様子を示す断面図である。
【符号の説明】
【００８６】
１０，５０  …取付治具
１２  …槽本体
２４  …治具取付部
１４  …溝部材
３４，５６  …係止部
４０，６２  …保持部
１００  …雨水貯留浸透槽
【図１】
0005084471.tif 000002
【図２】
0005084471.tif 000003
【図３】
0005084471.tif 000004
【図４】
0005084471.tif 000005
【図５】
0005084471.tif 000006
【図６】
0005084471.tif 000007
【図７】
0005084471.tif 000008
【図８】
0005084471.tif 000009
【図９】
0005084471.tif 000010
【図１０】
0005084471.tif 000011
【図１１】
0005084471.tif 000012
【図１２】
0005084471.tif 000013
【図１３】
0005084471.tif 000014
【図１４】
0005084471.tif 000015
【図１５】
0005084471.tif 000016
【図１６】
0005084471.tif 000017